(57)【要約】  【課題】  適切な耕耘作業ができる部分深耕機を提供する。  【解決手段】部分深耕機１は、トラクタの走行により移動しながら圃場の深い位置の土まで耕耘する２段耕のチゼルプラウである。部分深耕機１は、土中に浅く位置した状態で前方に移動しながら土を切削して持ち上げて放てきする前側作業体11を備える。部分深耕機１は、前側作業体11の真後ろの位置において前側作業体11より深く土中に位置した状態で前方に移動しながら土を切削して持ち上げて放てきする後側作業体12を備える。  【選択図】図１
2005087162.tif 000002
【特許請求の範囲】
【請求項１】
走行車の走行により移動しながら、圃場の深い位置の土まで耕耘する部分深耕機であって、
土中に差し込まれた状態で前方に移動しながら、土を切削して持ち上げて放てきする前側作業体と、
この前側作業体より深く土中に差し込まれ前記前側作業体と平面視で前後方向に並んだ状態で前方に移動しながら、土を切削して持ち上げて放てきする後側作業体と
を備えることを特徴とする部分深耕機。
【請求項２】
前側作業体は、着脱可能となっている
ことを特徴とする請求項１記載の部分深耕機。
【請求項３】
前側作業体は、作業深さ調節可能となっている
ことを特徴とする請求項１または２記載の部分深耕機。
【請求項４】
走行車側からの動力に基づいて振動する振動枠部を備え、
前側作業体および後側作業体は、前記振動枠部に前後方向に沿って並設されている
ことを特徴とする請求項１ないし３のいずれか一記載の部分深耕機。
【発明の詳細な説明】
【技術分野】
【０００１】
本発明は、適切な耕耘作業ができる部分深耕機に関するものである。
【背景技術】
【０００２】
従来、走行車の走行により移動しながら圃場の深い位置の土まで耕耘する部分深耕機（１段耕のチゼルプラウ）としては、例えば上端側が側方に向ってねじられた縦長状のねじり板にて構成され耕耘作業時には土中深く心土層まで差し込まれる土作業体を備え、この土作業体で土を切削して持ち上げて側方に反転放てきするようにしたものが知られている（例えば、特許文献１参照）。
【特許文献１】特開平９−３２２６０１号公報
【発明の開示】
【発明が解決しようとする課題】
【０００３】
しかしながら、上記従来の部分深耕機では、深い位置の土（例えば心土層および耕盤層の土）が浅い位置の土（例えば作土層の土）に邪魔されやすいことから、土作業体による深い位置の土の上方への流れが不安定となりがちで、適切な耕耘作業ができないおそれがある。
【０００４】
本発明は、このような点に鑑みなされたもので、適切な耕耘作業ができる部分深耕機を提供することを目的とする。
【課題を解決するための手段】
【０００５】
請求項１記載の部分深耕機は、走行車の走行により移動しながら、圃場の深い位置の土まで耕耘する部分深耕機であって、土中に差し込まれた状態で前方に移動しながら、土を切削して持ち上げて放てきする前側作業体と、この前側作業体より深く土中に差し込まれ前記前側作業体と平面視で前後方向に並んだ状態で前方に移動しながら、土を切削して持ち上げて放てきする後側作業体とを備えるものである。
【０００６】
そして、後側作業体に先立って前側作業体が土を切削して持ち上げて放てきするため、後側作業体にて持ち上げられる土のための空間が形成されることとなり、後側作業体による深い位置の土の上方への流れが安定化する。
【０００７】
請求項２記載の部分深耕機は、請求項１記載の部分深耕機において、前側作業体は、着脱可能となっているものである。
【０００８】
そして、土質等の圃場状態に応じて前側作業体を取り外すことにより後側作業体のみで耕耘作業をすることが可能である。
【０００９】
請求項３記載の部分深耕機は、請求項１または２記載の部分深耕機において、前側作業体は、作業深さ調節可能となっているものである。
【００１０】
そして、土質等の圃場状態に応じて前側作業体の作業深さを適宜調節することが可能である。
【００１１】
請求項４記載の部分深耕機は、請求項１ないし３のいずれか一記載の部分深耕機において、走行車側からの動力に基づいて振動する振動枠部を備え、前側作業体および後側作業体は、前記振動枠部に前後方向に沿って並設されているものである。
【００１２】
そして、前側作業体および後側作業体を振動枠部とともに振動させることにより、より一層適切な耕耘作業をすることが可能である。
【発明の効果】
【００１３】
請求項１記載の部分深耕機によれば、後側作業体に先立って前側作業体が土を切削して持ち上げて放てきするため、後側作業体にて持ち上げられる土のための空間が形成されることとなり、その結果、後側作業体による深い位置の土の上方への流れが安定化し、適切な耕耘作業ができる。
【００１４】
請求項２記載の部分深耕機によれば、土質等の圃場状態に応じて前側作業体を取り外すことにより後側作業体のみで耕耘作業ができる。
【００１５】
請求項３記載の部分深耕機によれば、土質等の圃場状態に応じて前側作業体の作業深さを適宜調節することができる。
【００１６】
請求項４記載の部分深耕機によれば、前側作業体および後側作業体を振動枠部とともに振動させることにより、より一層適切な耕耘作業ができる。
【発明を実施するための最良の形態】
【００１７】
本発明の部分深耕機の第１の実施の形態を図面を参照して説明する。
【００１８】
図１および図２において、１は部分深耕機（２段耕のチゼルプラウ）で、この部分深耕機１は、図示しない走行車であるトラクタの後部に前端部を連結して使用する牽引式のものである。
【００１９】
そして、部分深耕機１は、トラクタの走行（牽引動作）により圃場を前方（図示Ｘ方向である進行方向前方）に移動しながら、圃場の深い位置の土（例えば心土層の土）まで耕耘する耕耘作業機である。
【００２０】
なお、部分深耕機１は、圃場の心土層および耕盤層を幅狭状に切削するとともにこの切削された土を圃場面（図示Ｇ）上方まで持ち上げてその圃場面上に反転放てきすることにより下層土と上層土とを混和させるもので、プラウの天地返しとサブソイラの心土破砕との両方の機能を発揮しうるものである。
【００２１】
部分深耕機１は、例えば作業部固定式のもので、図示しないトラクタの後部の３点リンク部（作業機昇降支持装置）に連結された機枠２を備えている。
【００２２】
機枠２は、走行車連結部であるトラクタ連結部３を前端部に有し、このトラクタ連結部３がトラクタの３点リンク部に連結されている。トラクタ連結部３は、トップピン４を有するトップマスト５と、ロワピン６を有する左右一対のロワアーム７とにて構成されている。
【００２３】
また、機枠２は、前後方向にやや長手状で略板状の作業体被取付枠部８を有している。なお、作業体被取付枠部８は、下方に向って凹状のものでその中間部が上方に向ってやや膨出している。
【００２４】
そして、機枠２の作業体被取付枠部８の前端部には、耕耘作業時に圃場の土中に比較的浅く差し込まれた状態でトラクタの走行により前方に移動しながら圃場の土（例えば表土層である作土層の土）を切削して圃場面上方まで持ち上げて側方に反転放てきする縦長状の前側作業体（前方サブチゼル）11が取り付けられている。この前側作業体11は、機枠２の作業体被取付枠部８に対して着脱可能でかつ作業深さ調節可能に取り付けられている。
【００２５】
また、機枠２の作業体被取付枠部８の後端部には、耕耘作業時に前側作業体11の真後ろの位置である後方位置（進行方向後方位置）において前側作業体11より深く土中に差し込まれ前側作業体11と平面視で前後方向に並んだ状態でトラクタの走行により前方に移動しながら圃場の土（例えば心土層および耕盤層の土）を切削して圃場面上方まで持ち上げて側方に反転放てきする縦長状の後側作業体（後方メインチゼル）12が取り付けられている。この後側作業体12は、平面視で前側作業体11と前後方向に一直線状に並んで位置し、前側作業体11と同様、機枠２の作業体被取付枠部８に対して着脱可能でかつ作業深さ調節可能に取り付けられている。
【００２６】
ここで、前側作業体11は、作業体被取付枠部８の前端部から下方に向って突出した略板状の支持アーム（ビーム）14を有し、この支持アーム14の略下半部は前方に突出するように円弧状となっている。
【００２７】
支持アーム14の下端部には、圃場の土を切削して持ち上げるチゼル（先金）15がその前面が前方を向いた状態に取り付けられているとともに、破砕効果を上げるためのウイング16が取り付けられている。
【００２８】
支持アーム14の下部側には、チゼル15からの土を受け入れて持ち上げるとともに自らも圃場の土を切削して持ち上げる略矩形板状の合成樹脂製の切削板（第１作業板）17がその前面が前方を向いた状態に支持部材18を介して取り付けられている。
【００２９】
支持アーム14の上部側には、切削板17からの土を受け入れて圃場面上方まで持ち上げて左右いずれか一側方に反転放てきする略団扇状の合成樹脂製の反転板（第２作業板）19が支持部材20を介して取り付けられている。反転板19は、略上下方向の軸21を中心として回動調節可能となっており、反転板19はその回動調節により前面が進行方向に対して右側方を向いた状態と前面が進行方向に対して左側方を向いた状態とに選択的に切換可能となっている。なお、上から順に連続して並んだ反転板19、切削板17およびチゼル15は、前側作業体11の支持アーム14の前縁に略沿った状態に配設されている。
【００３０】
なお、支持アーム14、チゼル15、切削板17および反転板19等にて、前側作業体11が構成されている。
【００３１】
後側作業体12は、作業体被取付枠部８の後端部から下方に向って突出した略板状の支持アーム（ビーム）24を有し、この支持アーム24の略下半部は、前方の前側作業体11の支持アーム14の円弧状の略下半部の円弧中心を中心とした円弧状となっている。
【００３２】
支持アーム24の下端部には、前側作業体11と同様、圃場の土を切削して持ち上げるチゼル（先金）25がその前面が前方を向いた状態に取り付けられているとともに、破砕効果を上げるためのウイング26が取り付けられている。
【００３３】
支持アーム24の下部側には、チゼル25からの土を受け入れて持ち上げるとともに自らも圃場の土を切削して持ち上げる略矩形板状の合成樹脂製の切削板（第１作業板）27がその前面が前方を向いた状態に支持部材28を介して取り付けられている。
【００３４】
支持アーム24の上部側には、切削板27からの土を受け入れて圃場面上方まで持ち上げて左右いずれか一側方に反転放てきする略団扇状の合成樹脂製の反転板（第２作業板）29が支持部材30を介して取り付けられている。反転板29は、略上下方向の軸31を中心として回動調節可能となっており、反転板29はその回動調節により前面が進行方向に対して右側方を向いた状態と前面が進行方向に対して左側方を向いた状態とに選択的に切換可能となっている。なお、上から順に連続して並んだ反転板29、切削板27およびチゼル25は、後側作業体12の支持アーム24の前縁に略沿った状態に配設されている。
【００３５】
なお、支持アーム24、チゼル25、切削板27および反転板29等にて、後側作業体12が構成されている。
【００３６】
次に、上記第１の実施の形態の作用等を説明する。
【００３７】
部分深耕機１を使用して耕耘作業をする場合、図示しないトラクタの３点リンク部に機枠２のトラクタ連結部３を連結することにより、トラクタの後部に部分深耕機１を連結装着する。
【００３８】
そして、トラクタの３点リンク部を作動させて部分深耕機１全体を所定量下降させることにより、部分深耕機１の一部を圃場の土中に差し込む。すなわち、前側作業体11の下端側を圃場の土中に比較的浅く差し込むとともに、後側作業体12の下端側を圃場の土中に比較的深く差し込む（図１参照）。
【００３９】
その後、トラクタを前進走行させることにより、部分深耕機１全体を進行方向前方に移動させる。
【００４０】
部分深耕機１が前方に移動すると、前側作業体11にて例えば作土層の土が切削されその切削土が前側作業体11の前面に沿って圃場面上方まで持ち上げられて左側方に反転放てきされるとともに、前側作業体11の通過直後において後側作業体12にて例えば心土層および耕盤層の土が切削されその切削土が後側作業体12の前面に沿って圃場面上方まで持ち上げられて左側方に反転放てきされる。
【００４１】
そして、この耕耘作業時において、後側作業体12に先立って、前側作業体11が作土層の土を切削して持ち上げて側方に反転放てきするため、後側作業体12にて持ち上げられる心土層および耕盤層の土（切削土）のための空間（土通過用空間）が後側作業体12の前方領域において圃場の土中に形成される。
【００４２】
このため、後側作業体12にて切削された心土層および耕盤層の土つまり深い位置の切削土は、浅い位置の土（例えば作土層の土）に邪魔されることなく、前側作業体11にて形成された通過用空間を通って後側作業体12の前面に沿って安定してスムーズに圃場面上方まで持ち上げられ、左側方に向って確実に反転放てきされる。
【００４３】
なお、圃場の土質等に応じて、前側作業体11の作業深さを調節したり後側作業体12の作業深さを調節したりする。また、前側作業体11を機枠２の作業体被取付枠部８から取り外すことにより、後側作業体12のみで耕耘作業をすることも可能である。
【００４４】
そして、このような部分深耕機１によれば、後側作業体12に先立って前側作業体11が浅い位置の土を切削して持ち上げて放てきするため、後側作業体12にて持ち上げられる土のための空間が形成されることとなり、その結果、後側作業体12による深い位置の土の上方への流れが安定化し、よって、後側作業体12にて深い位置の土を確実に切削、持ち上げおよび反転放てきすることができ、適切な耕耘作業ができる。
【００４５】
また、圃場の土質等の圃場状態に応じて前側作業体11を機枠２から取り外して後側作業体12のみで耕耘作業を行うことができる。
【００４６】
次に、本発明の部分深耕機の第２の実施の形態について図３および図４を参照して説明する。
【００４７】
図３および図４に示す部分深耕機１の機枠２は、左右方向に長手状のフレーム部41の両端部から前方に向って突出した略板状の前側作業体被取付枠部42を有し、これら左右一対の前側作業体被取付枠部42の各々には図１に示すものと同一構成の前側作業体11が着脱可能でかつ作業深さ調節可能に取り付けられている。
【００４８】
また、この機枠２は、フレーム部41の両端部から後方に向って突出した略板状の後側作業体被取付枠部43を有し、これら左右一対の後側作業体被取付枠部43の各々には図１に示すものと同一構成の後側作業体12が着脱可能でかつ作業深さ調節可能に取り付けられている。なお、図３および図４に示す部分深耕機１のその他の構成は、図１に示す部分深耕機１の構成と基本的に同一である。
【００４９】
そして、このような前後で対をなす前側作業体11および後側作業体12を左右両側に備える部分深耕機１でも、各後側作業体12による深い位置の土の上方への流れの安定化により、後側作業体12にて深い位置の土を確実に切削、持ち上げおよび反転放てきすることができ、よって適切な耕耘作業ができる等、前記図１に示す部分深耕機１と同様の作用効果を奏することができる。
【００５０】
次に、本発明の部分深耕機の第３の実施の形態について図５ないし図７を参照して説明する。
【００５１】
図５ないし図７に示す部分深耕機１は、図１のものとは異なる作業部振動式のもので、トラクタの後部の３点リンク部（作業機昇降支持装置）に連結された機枠51を備え、この機枠51は固定枠部52を有している。そして、固定枠部52には走行車連結部であるトラクタ連結部53が設けられ、このトラクタ連結部53がトラクタの３点リンク部に連結されている。トラクタ連結部53は、トップピン54を有するトップマスト55と、ロワピン56を有する左右一対のロワアーム57とにて構成されている。
【００５２】
また、固定枠部52には、トラクタ側からの動力を入力する前後方向の入力軸58が回転可能に設けられている。入力軸58は、ユニバーサルジョイントおよび伝動シャフト等を介してトラクタのＰＴＯ軸に接続されている。
【００５３】
さらに、固定枠部52には、圃場面上を回転しながら移動する左右一対の接地輪であるゲージ輪59が支持部材60を介して回転可能に設けられている。各ゲージ輪59は、高さ調節手段61のハンドル部62の操作により固定枠部52に対して高さ調節可能となっている。
【００５４】
また、固定枠部52には、例えば前後方向に長手状のアーム部分64とこのアーム部分64に連結され下方に向って凹状をなす凹状部分65とにて構成された振動枠部66が左右方向の軸67を介して上下回動可能に設けられている。そして、振動枠部66は、耕耘作業時にトラクタ側からの動力に基づいて振動する。すなわち、この振動枠部66は、耕耘作業時には入力軸58からの動力を伝動手段68を介して受けて軸67を中心に所定回動範囲内で上下回動することにより略前後方向に振動する。
【００５５】
そして、機枠51の振動枠部66の凹状部分65の前端部には、図１に示すものと同一構成の前側作業体11が着脱可能でかつ作業深さ調節可能に取り付けられている（図６参照）。また、機枠51の振動枠部66の凹状部分65の後端部には、図１に示すものと同一構成の後側作業体12が着脱可能でかつ作業深さ調節可能に取り付けられている（図７参照）。
【００５６】
なお、図５から明らかなように、前側作業体11および後側作業体12のそれぞれの作業深さを作業途中で変化しないよう一定にするゲージ輪59は、側面視で前後で対をなす前側作業体11および後側作業体12間に配設されている。
【００５７】
次に、上記第３の実施の形態の作用等を説明する。
【００５８】
上記構成の作業部振動式の部分深耕機１を使用して耕耘作業をする場合、図示しないトラクタの３点リンク部に機枠51のトラクタ連結部53を連結することによりトラクタの後部に部分深耕機１を連結装着するとともに、トラクタのＰＴＯ軸に入力軸58をユニバーサルジョイントおよび伝動シャフト等を介して接続する。
【００５９】
そして、トラクタの３点リンク部を作動させて部分深耕機１全体を所定量下降させることにより、部分深耕機１の一部を圃場の土中に差し込む。すなわち、前側作業体11の下端側を圃場の土中に比較的浅く差し込むとともに、後側作業体12の下端側を圃場の土中に比較的深く差し込む（図５参照）。
【００６０】
その後、トラクタを前進走行させることにより部分深耕機１全体を進行方向前方に移動させるとともに、機枠51の振動枠部66を振動させることにより前側作業体11および後側作業体12を振動させる。
【００６１】
部分深耕機１が前方に移動すると、振動中の前側作業体11にて例えば作土層の土が切削されその切削土が前側作業体11の前面に沿って圃場面上方まで持ち上げられて左側方に反転放てきされるとともに、前側作業体11の通過直後において振動中の後側作業体12にて例えば心土層および耕盤層の土が切削されその切削土が後側作業体12の前面に沿って圃場面上方まで持ち上げられて左側方に反転放てきされる。
【００６２】
そして、この耕耘作業時において、後側作業体12に先立って、前側作業体11が作土層の土を切削して持ち上げて側方に反転放てきするため、後側作業体12にて持ち上げられる心土層および耕盤層の土（切削土）のための空間（土通過用空間）が後側作業体12の前方領域において圃場の土中に形成される。
【００６３】
このため、後側作業体12にて切削された心土層および耕盤層の土つまり深い位置の切削土は、浅い位置の土（例えば作土層の土）に邪魔されることなく、前側作業体11にて形成された通過用空間を通って後側作業体12の前面に沿って安定してスムーズに圃場面上方まで持ち上げられ、左側方に向って確実に反転放てきされる。
【００６４】
なお、圃場の土質等に応じて、前側作業体11の作業深さを調節したり後側作業体12の作業深さを調節したりする。また、前側作業体11を機枠51の振動枠部66の凹状部分65から取り外すことにより、後側作業体12のみで耕耘作業をすることも可能である。
【００６５】
そして、このような部分深耕機１によれば、前記図１に示すものと同様、後側作業体12に先立って前側作業体11が浅い位置の土を切削して持ち上げて放てきするため、後側作業体12にて持ち上げられる土のための空間が形成されることとなり、その結果、後側作業体12による深い位置の土の上方への流れが安定化し、よって、後側作業体12にて深い位置の土を確実に切削、持ち上げおよび反転放てきすることができ、適切な耕耘作業ができる。
【００６６】
また、圃場の土質等の圃場状態に応じて前側作業体11を機枠51から取り外して後側作業体12のみで耕耘作業を行うことができる。
【００６７】
さらに、前後で対をなす前側作業体11および後側作業体12が機枠51の振動枠部66に前後方向に沿って並設されているため、これら前側作業体11および後側作業体12を振動枠部66とともに振動させることにより、破砕効果の向上および牽引抵抗の軽減等を図ることができ、よってより一層適切な耕耘作業ができる。
【００６８】
なお、いずれの実施の形態においても、前後で対をなす前側作業体11および後側作業体12の数は任意であり、例えば前後１対のものでもよく、前後複数対のもの（例えば２対、３対等）でもよい。
【００６９】
また、前側作業体11の作業幅を後側作業体12の作業幅より広くすることが好ましいが、前側作業体11の作業幅と後側作業体12の作業幅とを略等しくしてもよい。
【００７０】
さらに、前側作業体11は、土を切削して持ち上げて放てきするものであれば、いかなる形状でもよく、図１等に示すチゼルタイプには限定されず、例えばすきタイプ、ディスクタイプ、双用すきタイプ等でもよい。
【００７１】
また、反転板19，29である第２作業板は、切削板17，27である第１作業板と同じように、その前面が前方を向いたものでもよく、また、第１および第２作業板は金属製でもかまわない。
【００７２】
また、前側作業体11および後側作業体12は、いずれも、ねじり板或いはねじられていない板等の１枚状の作業板を備えた構成のものでもよく、或いは３枚以上の分割作業板を備えた構成のもの等でもよい。
【００７３】
さらに、前側作業体11の反転板19による反転放てき方向（土を飛ばす方向）と、後側作業体12の反転板29による反転放てき方向とは、同一方向（例えば左側方）でもよく、互いに異なる方向でもよい。
【００７４】
また、部分深耕機１は、後側作業体12より上方に位置する補助作業体（後側作業体とは別体の刃体等）を備えたもの、すなわち例えば後側作業体12にて持ち上げられてくる切削土に対向するように位置して後側作業体12からの切削土を側方に誘導する土誘導面部を備えたものや、後側作業体12にて持ち上げられてくる切削土に対向するように位置して切削土を切断する切断部を備えたもの等でもよい。
【図面の簡単な説明】
【００７５】
【図１】本発明の部分深耕機の第１の実施の形態の側面図である。
【図２】同上部分深耕機の一部平面図である。
【図３】本発明の部分深耕機の第２の実施の形態の正面図である。
【図４】同上部分深耕機の一部平面図である。
【図５】本発明の部分深耕機の第３の実施の形態の側面図である。
【図６】同上部分深耕機の一部後面図である。
【図７】同上部分深耕機の一部後面図である。
【符号の説明】
【００７６】
１    部分深耕機
11    前側作業体
12    後側作業体
66    振動枠部
【図１】
2005087162.tif 000003
【図２】
2005087162.tif 000004
【図３】
2005087162.tif 000005
【図４】
2005087162.tif 000006
【図５】
2005087162.tif 000007
【図６】
2005087162.tif 000008
【図７】
2005087162.tif 000009